(57)【要約】【課題】  排水管への異物の進入の防止と、円滑な排水処理とを同時に行うことのできる異物進入防止装置を提供する。【解決手段】  大量の排水処理を行う場合、グレーチング１が開状態の位置にあるとき、異物進入防止網２（２１・２２・２３）を、排水口４ａの縁に沿って立設する。これにより、異物進入防止網２によって、排水中の異物１０を、排水口４の手前で取り除くことができ、排水管４内から異物１０を取り除くことが不要となる。同時に、排水処理も円滑に行うことができる。【選択図】  図１
2005120785.tif 000002
【特許請求の範囲】
【請求項１】
排水口を開状態または閉状態とすることが可能な第１網状部材と、排水管内に設けられた第２網状部材とを備え、排水管への異物の進入を防止する異物進入防止装置であって、
上記第２網状部材は、上記第１網状部材が開状態の位置にあるときに、上記排水口の縁に沿って立設可能に形成されていることを特徴とする異物進入防止装置。
【請求項２】
上記第１網状部材の動きに、上記第２網状部材の動きを連動させる連動手段をさらに備えていることを特徴とする請求項１に記載の異物進入防止装置。
【請求項３】
上記連動手段は、上記第１網状部材の回動運動を、上記第２網状手段が上記排水口に対してほぼ平行方向の運動に変化させることを特徴とする請求項２に記載の異物進入防止装置。
【請求項４】
第２網状部材の形状が、無底の環状であることを特徴とする請求項１、２、または３に記載の異物進入防止装置。
【請求項５】
第２網状部材の目開きは、第１網状部材の目開きよりも小さいことを特徴とする請求項１〜４のいずれか１項に記載の異物進入防止装置。
【請求項６】
上記第１網状部材は、開状態で固定可能であることを特徴とする請求項１〜５のいずれか１項に記載の異物進入防止装置。
上記排水口に固定されている
【請求項７】
上記第２網状部材は、柔軟性を有するものからなることを特徴とする請求項１〜６のいずれか１項に記載の異物進入防止装置。
【発明の詳細な説明】
【技術分野】
【０００１】
本発明は、例えば、排水中に含まれる、落葉やゴミなどの異物が排水管内に進入するのを防止するのに好適な異物進入防止装置に関するものである。
【背景技術】
【０００２】
工業用地や公園などでは、集水枡によって、排水処理が行われている。集水枡とは、雨水などの排水を、一時的に集水枡に滞留し、滞留した水を徐々に地下に浸透させることにより、排水処理を行うものである。集水枡は、雨水または雑排水を集めるために、地下（地中）に設置される。
【０００３】
具体的には、集水枡は、図４（ａ）（ｂ）に示すように、排水口を開状態または閉状態とすることが可能なグレーチング１００によって、ある程度の異物を除去する。そして、排水管１０１に滞留した水を、土管１０４によって排水施設に排水したり、あるいは、底板塊１０２および／または砕石１０３を介して、地下に自然浸水させるものである。排水に含まれる落葉やゴミなどの異物は、グレーチング１００によって、排水管４内への進入が防止される。
【０００４】
しかしながら、例えば、大雨などにより、大量の排水処理を行う場合、排水中には、落葉やゴミなどが多く含まれる。このため、排水とともに落ち葉やゴミなどの異物が、排水管１０１内に流入することにより、グレーチング１００や排水管１０１が閉塞し、排水が困難になる。
【０００５】
そこで、排水管への異物の進入を防止するために、排水口にゴミ収集装置を具備したり（例えば、特許文献１）、台所の排水管内に、メッシュ状の袋を具備する対策がとられている。このように、従来は、排水管内（排水の流路内）に、ゴミ収集装置が備え付けられている。
【特許文献１】登録実用新案公報第３０８７３０１号（公開日：２００２年８月１２日）
【発明の開示】
【発明が解決しようとする課題】
【０００６】
ところが、排水管内に、ゴミ収集装置を設置したとしても、大量の排水処理が必要な場合に、依然として、排水管内に収集されたゴミによって、排水管が閉塞してしまう。このため、排水からゴミを除去することができても、排水処理を円滑に行うことができないという問題が生じる。
【０００７】
そこで、本発明は、上記従来の問題点に鑑みてなされたものであり、その目的は、異物の進入の防止と、大量の排水処理とを同時に行うことのできる、異物進入防止装置を提供することにある。
【課題を解決するための手段】
【０００８】
本発明にかかる異物進入防止装置は、上記の課題を解決するために、排水口を開状態または閉状態とすることが可能な第１網状部材と、排水管内に設けられた第２網状部材とを備え、排水管への異物の進入を防止する異物進入防止装置であって、上記第２網状部材は、上記第１網状部材が開状態の位置にあるときに、上記排水口の縁に沿って立設可能に形成されていることを特徴としている。
【０００９】
本発明にかかる異物進入防止装置は、上記の構成に加えて、上記第１網状部材の動きに、上記第２網状部材の動きを連動させる連動手段をさらに備えていることを特徴としている。
【００１０】
本発明にかかる異物進入防止装置は、上記の構成に加えて、上記連動手段は、上記第１網状部材の回動運動を、上記第２網状手段が上記排水口に対してほぼ平行方向の運動に変化させることを特徴としている。
【００１１】
本発明にかかる異物進入防止装置は、上記の構成に加えて、第２網状部材の形状が、無底の環状であることを特徴としている。
【００１２】
本発明にかかる異物進入防止装置は、上記の構成に加えて、第２網状部材の目開きは、第１網状部材の目開きよりも小さいことを特徴としている。
【００１３】
本発明にかかる異物進入防止装置は、上記の構成に加えて、上記第１網状部材は、開状態で固定可能であることを特徴としている。
【００１４】
本発明にかかる異物進入防止装置は、上記の構成に加えて、上記第２網状部材は、柔軟性を有するものからなることを特徴としている。
【発明の効果】
【００１５】
本発明にかかる異物進入防止装置は、以上のように、上記第２網状部材は、上記第１網状部材が開状態の位置にあるときに、上記排水口の縁に沿って立設可能に形成されていることを特徴としている。
【００１６】
通常の場合、すなわち、大量の排水処理を行う必要がない場合、第１網状部材によって、排水処理と異物の進入の防止とを同時に行うことに問題はない。これに対し、大量の排水処理を行う必要がある場合、排水中の異物の量も多くなるため、第１網状部材によって、異物の進入を防止することが困難となる。
【００１７】
上記の構成によれば、第２網状部材を、排水口の縁に沿って立設させて、第２網状部材を排水口よりも高く移動させた状態で、排水処理を行うことができる。その結果、第２網状部材によって、排水管の内部ではなく、排水口の手前で、排水管への異物の進入を防止できる。このため、大量の排水処理が必要な場合であっても、排水管内に手を入れるなどして、異物を除去する必要がない。それゆえ、大量の排水が排水口に流れ込む際にも、立設させた第２網状部材によって、排水管内への異物の進入の防止と、円滑な排水処理とを同時に行うことができるという効果を奏する。また、第１網状部材が閉状態の位置にあるとき、第２網状部材を、排水管内に収納することができるので、美観を損なわず、しかも通行の妨げとならない異物進入防止装置を提供できるという効果も奏する。
【００１８】
上記異物進入防止装置において、上記第１網状部材の動きに、上記第２網状部材の動きを連動させる連動手段をさらに備えていてもよい。これにより、第１網状部材を開状態とする動作に連動して、第２網状部材を、排水口の縁に沿って立設可能なように移動させることができる。すなわち、第１網状部材の開閉動作と大２網状部材の移動とを同時におこなうことができるので、作業効率が向上するという効果を奏する。
【００１９】
上記異物進入防止装置において、上記連動手段は、上記第１網状部材の回動運動を、上記第２網状手段が上記排水口に対してほぼ平行方向の運動に変化させることもできる。例えば、上記連動手段は、上記第１網状部材の回動運動を、上記第２網状手段の上下運動に変化させることもできる。これにより、第２網状部材を、排水管にほぼ平行に移動して、排水管の縁に沿って立設させることができるという効果を奏する。
【００２０】
上記異物進入防止装置において、第２網状部材の形状が、無底の環状であってもよい。これにより、第２網状部材を排水口の縁に沿って立設させたときに、第２網状部材の底部から、排水管内に、排水ポンプなどを入れることができる。それゆえ、大量な排水処理を行う場合も、より効率的に排水処理を行うことができるという効果を奏する。
【００２１】
上記異物進入防止装置において、第２網状部材の目開きは、第１網状部材の目開きよりも小さいことが好ましい。これにより、第２網状部材を、排水口の縁に沿って立設させたときに、第１網状部材を通過する大きさの異物であっても、第２網状部材によって除去できる。それゆえ、大量の排水中に含まれる、異物の排水管内への進入を確実に防止できるという効果を奏する。
【００２２】
上記異物進入防止装置において、上記第１網状部材は、開状態で固定可能であることが好ましい。これにより、第１網状部材を開状態で固定することができるので、第１網状部材を作業者が保持する必要がない。
【００２３】
上記異物進入防止装置において、上記第２網状部材は、柔軟性を有するものからなることが好ましい。これにより、第２網状部材を、排水口の縁に沿って、より高いところまで立設できるという効果を奏する。
【発明を実施するための最良の形態】
【００２４】
本発明の一実施形態について図１ないし図３に基づいて説明すると以下の通りである。なお、本発明はこれに限定されるものではない。また、説明の便宜上、従来技術の説明で用いた図４も参照する。
【００２５】
本発明にかかる異物進入防止装置は、大量の水を排水処理すると同時に、大量の水に含まれる異物が排水管内へ進入するのを防止すると同時に、円滑な排水処理を行うものである。
【００２６】
本発明にかかる異物進入防止装置は、例えば、図２に示すような、集水枡に適用できる。具体的には、図２に示すように、上記異物進入防止装置は、主として、排水管４の排水口４ａに蓋をするグレーチング（第１網状部材）１と、排水管４内に設けられた異物進入防止網２（第２網状部材）とから構成されている。上記異物進入防止装置は、大量の排水処理が必要でない場合、グレーチング１によって排水管４内への異物１０の進入を防止し、大量の排水処理が必要な場合に、異物進入防止網２によって排水管４内への異物１０の進入を防止するものである。以下の説明では、上記異物進入防止装置を集水枡に適用した場合について説明するが、本発明はこれに限定されるものではない。
【００２７】
集水枡は、図１に示すように、地面ＧＬの中に埋設されており、排水管４の底部には、砕石５が敷き詰められており、排水管４内に滞留した水を、砕石５から地下へ自然浸水することができる（単独集水）。なお、図４（ａ）で示したように、排水管４の側面には、滞留した水を排水処理施設や河川などに排水するための、別の排水管を設けてもよい。
【００２８】
グレーチング１は、排水口４ａと相似形状であり、排水口４ａを開状態または閉状態とすることができるように構成されている。具体的には、グレーチング１は、大量の排水処理が必要ではないときには、図２に示すように、排水口４ａに蓋をした状態（閉状態）であり、グレーチング１によって、排水中に含まれる異物１０が、排水管内に進入するのを防止する。一方、大量の排水処理が必要なときには、図１に示すように、排水口４ａの蓋を開放した状態（開状態）であり、後述するように、異物進入防止網２によって、排水管内への異物の進入を防止する。なお、グレーチング１の開状態とは、異物進入防止網２が、排水口４ａの縁にそって立設可能な状態のことを示す。
【００２９】
なお、グレーチング１は、排水口４ａの開閉動作を円滑に行うため、例えば蝶番などの接続部９を介して、排水口４ａに枢結されている。すなわち、グレーチング１は、排水口４ａに開状態または閉状態で固定することができる。これにより、グレーチング１の開状態の位置で固定した状態で保持することができる。また、グレーチング１は、通常は金属製のものであるが、コンクリートなど、その他の素材から構成されてもよい。
【００３０】
一方、異物進入防止網２は、グレーチング１の閉状態時には、排水管４内に設置されており、上枠２２と下枠２３とによって耐候網２１を支持した構成となっている。すなわち、異物進入防止網２の側面が、耐候網２２で形成されている。
【００３１】
異物進入防止網２は、グレーチング１が開状態のときに、排水口４ａの縁に沿って立設可能に形成されていることを特徴としている。これにより、異物進入防止網２は、排水口４ａよりも高い位置に移動可能である。具体的には、異物進入防止網２は、グレーチング１が開状態のときには、排水口４ａよりも高い位置に移動して、排水口４ａを閉状態とすることも可能である（図１）。言い換えると、異物進入防止網２は、グレーチング１が開状態のときに、閉状態のグレーチング１の位置よりも、高い位置に移動可能である。
【００３２】
例えば、図２に示すように、上枠２２を排水管４の内径Ｘよりも小さくし、下枠２３の幅Ｙは排水管４の内径Ｘよりも大きくする。言い換えると、下枠２３の断面を排水管４の断面よりも大きくする。これにより、図１に示すように、グレーチング１の開状態時に、異物進入防止網２を排水口４ａに対してほぼ平行方向に移動させると、上枠２２は排水口４ａを超えて移動し、下枠２３は排水口４ａに載置することが可能となる。その結果、排水口４ａの周囲には、地面ＧＬに対してほぼ垂直方向（排水口４ａの延長線上）に、耐候網２２が立設する。つまり、グレーチング１の開状態時には、排水口４ａの周囲は、地面ＧＬよりも高い位置にある耐候網２２によって、包囲される。これにより、耐候網２２により異物１０の排水管４内への進入を防止することができる。
【００３３】
また、異物進入防止網２は、グレーチング１の開状態時に、側面に形成された耐候網２２の少なくとも一部が、排水口４ａの縁に立設可能に移動できればよい。また、本実施形態では、耐候網２２は柔軟性を有しており、グレーチング１の閉状態時には耐候網２２は収縮しており、開状態時には耐候網２２は伸張するようになっている。しかし、必ずしも耐候網２２は伸縮するように形成しなくてもよい。また、耐候網２２の素材は、例えば、耐候性を有するか、柔軟性を有するものからなることが好ましい。具体的には、綿、麻、ポリエチレン、ポリプロピレン、ポリエステル、ポリアミド、及びこれらの混紡などから形成することができる。耐候網２２が柔軟性を有するものからなれば、排水口４ａの縁に沿って立設させたときに、より排水口４ａよりも高くすることができる。
【００３４】
また、上枠２２は、スリット（連動手段）３を介してグレーチング１に連結されている。これにより、異物進入防止網２は、グレーチング１に連動して移動可能となる。より具体的には、スリット３は、グレーチング１の回動運動を、異物進入防止網２が排水口４ａに対してほぼ平行方向の運動に変化させる。すなわち、スリット３は、グレーチング１の回動運動に連動して、異物進入防止網２を上下運動（排水管４ａに対して平行方向の運動）に変化させる。したがって、グレーチング１を開状態とする動作に伴い、異物進入防止網２は自動的に排水口４ａ方向に移動し、最終的には、排水口４ａの直前で、排水管４を閉状態とする（図１）。それゆえ、グレーチング１の開動作と異物進入防止網２の移動とを同時に行うことができ、作業効率が向上する。
【００３５】
ところで、集水枡では、大量の排水処理を行う場合、自然浸水のみでは、効率的な排水処理ができないため、排水ポンプが用いられる。通常、排水ポンプは、排水管内に設けられることが多い。
【００３６】
そこで、図３に示すように、異物進入防止網２の形状は、無底の筒状であることが好ましい。すなわち、異物進入防止網２の形状は、無底の環状であり、その底部には開口部２４を有していることが好ましい。これにより、図１に示すように、開口部２４から、排水管４内に排水ポンプ６および設置台８を設置し、排水ホース７を外部に出すことができる。これにより、排水ポンプ６を用いて、大量の排水処理を円滑に行うことができる。
【００３７】
また、異物進入防止網２が開口部２４を有する場合、異物進入防止網２を巾着状に形成すれば、開口部２４の面積を、任意に変化できる。例えば、図１に示すように、排水ホース７を外部に出した後、開口部２４の面積を小さくすることにより、開口部２４を排水ホース７に必要な面積とすることができる。これにより、開口部２４の面積を必要最低限に設定できるので、開口部２４から、異物１０が排水管４内に進入することを防止できる。また、異物進入防止網２を巾着状に形成すれば、異物進入防止網２の側面に開口部２４を設けることができる。これにより、排水管４内への排水ポンプ６などの設置した後、開口部２４を閉じて、異物１０の除去も行うことができる。
【００３８】
上記異物進入防止装置は、通常、グレーチング１が閉状態で、異物１０の排水管４内への進入を防止する。そして、大量の排水処理が必要になれば、グレーチング１を開状態とし、異物進入防止網２を排水口４ａ付近まで移動させて、異物進入防止網２によって、異物１０の排水管４内への進入を防止する。
【００３９】
通常の状態では、排水の量も少ないため、排水中には異物１０が少ない。このため、グレーチング１では、大きな異物１０を取り除くことができればよいので、グレーチング１の目開きは、比較的大きく形成される。これに対し、排水量が多くなると、排水とともに多くの異物１０が流れ込み、排水中には様々な種類や大きさの異物１０が存在する。このため、グレーチング１のみでは、異物１０の排水管４内への進入を確実に防止できない可能性がある。
【００４０】
そこで、異物進入防止網２の耐候網２２の目開きは、グレーチング１の目開きよりも小さくすることが好ましい。これにより、大量の排水中に含まれる異物１０の排水管４への進入を、確実に防止できる。それゆえ、排水管４内から、異物１０を取り除く作業も不要であり、排水処理も円滑に行うことができる。
【００４１】
以上のように、上記異物進入防止装置は、グレーチング１の開状態時に、異物進入防止網２が、排水口４ａよりも高い位置に移動可能である。したがって、大量の排水処理を行う場合に、異物進入防止網２によって、異物１０の排水管４内への進入を防止できるので、排水管４内から異物を除去する必要がない。それゆえ、排水管４内への異物１０の進入の防止と、円滑な排水処理とを同時に行うことができる。
【００４２】
また、グレーチング１と異物進入防止網２とが連動するので、作業効率が向上する。
【００４３】
また、異物進入防止網２に、開口部２４を設けることにより、排水管４内に排水ポンプ６などの設置が可能となり、より効率よく排水処理を行うことができる。
【００４４】
また、異物進入防止網２の目開きをグレーチング１の目開きよりも小さくすることにより、大量の排水中に含まれる、異物１０の排水管４内への進入を確実に防止できる。
【００４５】
なお、上記の説明では、本発明にかかる異物進入防止装置として、集水枡を例に挙げて説明したが、例えば、台所の排水管に適用して生ゴミなどの排水管への進入を防止することもできる。また、その他にも、例えば、上記異物進入防止装置を冷却海水の取り入れに適用することも可能である。具体的には、図１における排水口４ａから冷却海水を取り入れる場合、海水中に含まれるクラゲなどのように、通常のフィルターをすぐに閉塞してしまい、グレーチング１および排水管４内での除去が困難であるような異物１０の進入を防止する用途にも、適用することも可能である。このように、本発明にかかる異物進入防止装置は、異物を取り除きつつ、排水処理を行うどのような用途にも適用可能である。
【００４６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００４７】
以上のように、本発明にかかる異物進入防止装置は、排水管内への異物の進入を防止するとともに、円滑に排水処理を行うことができるので、例えば、集水枡や、台所の排水管になど、あらゆる排水設備に適用可能である。
【図面の簡単な説明】
【００４８】
【図１】本発明にかかる異物進入防止装置において、グレーチングの開状態時を示す断面図である。
【図２】本発明にかかる異物進入防止装置において、グレーチングの閉状態時を示す断面図である。
【図３】図１における、グレーチングおよび異物進入防止網を示す斜視図である。
【図４】従来の異物進入防止装置を示す図である。
【符号の説明】
【００４９】
１    グレーチング（第１網状部材）
２    異物進入防止網（第２網状部材）
３    スリット（連動手段）
４    排水管
４ａ  排水口
２４  開口部
【図１】
2005120785.tif 000003
【図２】
2005120785.tif 000004
【図３】
2005120785.tif 000005
【図４】
2005120785.tif 000006